(57)【要約】【課題】カーボンフィブリルからなる物の組成物を提供すること、より詳しくは、ランダムに配向されたカーボンフィブリルの集合体であって、低い嵩密度を有し、かつ様々な工業的および科学的目的のための基質または媒体として使用できる物を提供すること。【解決手段】多数のランダムに配向されたカーボンフィブリルの三次元の巨視的集合体から実質的になる物の組成物であって、前記フィブリルが実質的に一定の直径を有する実質的に円筒状であり、その円筒軸に対して実質的に垂直なｃ軸を有し、熱分解堆積炭素を実質的に含まず、かつ３．５〜７０nmの直径を有しており、前記集合体がその少なくとも一次元軸に沿って比較的均一な物理的性質および０．００１〜０．５０ｇ／ccの嵩密度を有している、前記組成物。【選択図】なし【特許請求の範囲】
【請求項１】
　多数のランダムに配向されたカーボンフィブリルの三次元の巨視的集合体から実質的になる物の組成物であって、前記フィブリルが実質的に一定の直径を有する実質的に円筒状であり、その円筒軸に対して実質的に垂直なｃ軸を有し、熱分解堆積炭素を実質的に含まず、かつ３．５〜７０nmの直径を有しており、前記集合体がその少なくとも一次元軸に沿って比較的均一な物理的性質および０．００１〜０．５０ｇ／ccの嵩密度を有している、前記組成物。
【請求項２】
　(a)多数のランダムに配向されたカーボンフィブリルの三次元の巨視的集合体であって、前記フィブリルが実質的に一定の直径を有する実質的に円筒状であり、その円筒軸に対して実質的に垂直なｃ軸を有し、熱分解堆積炭素を実質的に含まず、かつ３．５〜７０nmの直径を有しており、前記集合体がその少なくとも一次元軸に沿って比較的均一な物理的性質および０．００１〜０．５０ｇ／ccの嵩密度を有している、前記集合体; および
　　　 (b)(i) 粒状固体、または(ii)電気活性物質、または(iii) 触媒活性の金属または含金属化合物を含んでおり、フィブリル１部当り５０部以下の量の、第二成分;
を含んでいる複合材料。
【請求項３】
　前記電気活性物質が鉛または鉛化合物またはマンガンまたはマンガン化合物である、請求項２の複合材料。
【請求項４】
　前記粒状物質が酸化アルミニウム、二酸化珪素または炭化珪素である、請求項２の複合材料。
【請求項５】
　前記粒状物質が触媒である、請求項２の複合材料。
【請求項６】
　多数のランダムに配向されたカーボンフィブリルの三次元の巨視的集合体であって、前記フィブリルが実質的に一定の直径を有する実質的に円筒状であり、その円筒軸に対して実質的に垂直なｃ軸を有し、熱分解堆積炭素を実質的に含まず、かつ３．５〜７０nmの直径を有しており、前記集合体がその少なくとも一次元軸に沿って比較的均一な物理的性質および０．００１〜０．５０ｇ／ccの嵩密度を有している、前記集合体。
【請求項７】
　前記一次元軸に沿って実質的に均一な物理的性質を有する、請求項６の三次元集合体。
【請求項８】
　(a)請求項６のフィブリル集合体と (b)前記集合体の中に少なくとも部分的に含有されている第二材料とを含んでいる複合材料。
【請求項９】
　多数のランダムに配向されたカーボンフィブリルの三次元の巨視的集合体であって、前記フィブリルが実質的に一定の直径を有する実質的に円筒状であり、その円筒軸に対して実質的に垂直なｃ軸を有し、熱分解堆積炭素を実質的に含まず、かつ３．５〜７０nmの直径を有しており、前記集合体がその少なくとも一平面において比較的等方性の物理的性質および０．００１〜０．５０ｇ／ccの嵩密度を有している、前記集合体。
【請求項１０】
　前記平面において実質的に等方性の物理的性質を有する、請求項９の三次元集合体。
【請求項１１】
　(a)請求項９のフィブリル集合体と (b)前記集合体の中に少なくとも部分的に含有されている第二材料とを含んでいる複合材料。
【請求項１２】
　多数のランダムに配向されたカーボンフィブリルの三次元の巨視的集合体であって、前記フィブリルが実質的に一定の直径を有する実質的に円筒状であり、その円筒軸に対して実質的に垂直なｃ軸を有し、熱分解堆積炭素を実質的に含まず、かつ３．５〜７０nmの直径を有しており、前記集合体が比較的等方性の物理的性質および０．００１〜０．５０ｇ／ccの嵩密度を有している、前記集合体。
【請求項１３】
　実質的に等方性の物理的性質を有する、請求項１２の三次元集合体。
【請求項１４】
　(a)請求項１２のフィブリル集合体と (b)前記集合体の中に少なくとも部分的に含有されている第二材料とを含んでいる複合材料。
【請求項１５】
　（ａ）多数のランダムに配向されたカーボンフィブリルの三次元の巨視的集合体であって、前記フィブリルが実質的に一定の直径を有する実質的に円筒状であり、その円筒軸に対して実質的に垂直未満のｃ軸を有し、熱分解堆積炭素を実質的に含まず、かつ３．５〜７０nmの直径を有しており、前記集合体がその少なくとも一次元軸に沿って比較的均一な物理的性質および０．００１〜０．５０ｇ／ccの嵩密度を有している、前記集合体; および
　　　（ｂ）(i) 粒状固体、または(ii)電気活性物質、または(iii) 触媒活性の金属または含金属化合物を含んでおり、フィブリル１部当り５０部以下の量の、第二成分;
を含んでいる複合材料。
【請求項１６】
　多数のランダムに配向されたカーボンフィブリルの三次元の巨視的集合体であって、前記フィブリルが実質的に一定の直径を有する実質的に円筒状であり、その円筒軸に対して実質的に垂直未満のｃ軸を有し、熱分解堆積炭素を実質的に含まず、かつ３．５〜７０nmの直径を有しており、前記集合体がその少なくとも一次元軸に沿って比較的均一な物理的性質および０．００１〜０．５０ｇ／ccの嵩密度を有している、前記集合体。
【請求項１７】
　多数のランダムに配向されたカーボンフィブリルの三次元の巨視的集合体であって、前記フィブリルが実質的に一定の直径を有する実質的に円筒状であり、その円筒軸に対して実質的に垂直未満のｃ軸を有し、熱分解堆積炭素を実質的に含まず、かつ３．５〜７０nmの直径を有しており、前記集合体が比較的等方性の物理的性質および０．００１〜０．５０ｇ／ccの嵩密度を有している、前記集合体。
【請求項１８】
　前記集合体が少なくとも二次元方向において０．０２ｍｍ超である、請求項１の組成物。
【請求項１９】
　前記集合体が少なくとも二次元方向において０．０２ｍｍ超である、請求項２の複合材料。
【請求項２０】
　前記集合体が少なくとも二次元方向において０．０２ｍｍ超である、請求項６の三次元集合体。
【請求項２１】
　前記集合体が少なくとも二次元方向において０．０２ｍｍ超である、請求項９の三次元集合体。
【請求項２２】
　前記集合体が少なくとも二次元方向において０．０２ｍｍ超である、請求項１２の三次元集合体。
【請求項２３】
　多数のランダムに配向されたカーボンフィブリルの三次元の巨視的集合体であって、前記フィブリルが実質的に一定の直径を有する実質的に円筒状であり、その円筒軸に対して実質的に垂直なｃ軸を有し、熱分解堆積炭素を実質的に含まず、かつ３．５〜７０nmの直径を有しており、前記集合体がその少なくとも一次元軸に沿って比較的均一な物理的性質および０．００１〜０．５０ｇ／ccの嵩密度を有している、前記集合体を含んでいる多孔フィブリルマットであって、前記マットは０．０２ｍｍ超の厚さを有する、多孔フィブリルマット。
【請求項２４】
　多数のランダムに配向されたカーボンフィブリルの三次元の巨視的集合体であって、前記フィブリルが実質的に一定の直径を有する実質的に円筒状であり、その円筒軸に対して実質的に垂直なｃ軸を有し、熱分解堆積炭素を実質的に含まず、かつ３．５〜７０nmの直径を有しており、前記集合体がその少なくとも一次元軸に沿って比較的均一な物理的性質および０．００１〜０．５０ｇ／ccの嵩密度を有している、前記集合体を含んでいる多孔フィブリルプラグであって、前記プラグは少なくとも二次元方向において０．２０ｍｍ超である、多孔フィブリルプラグ。
【発明の詳細な説明】
【技術分野】
【０００１】
　本発明は一般にカーボンフィブリル(carbon fibril) の集合体(assemblage)に関する。より詳しくは、本発明は０．００１〜０．５０ｇ／ccの嵩密度を有する、ランダムに配向されたカーボンフィブリルの三次元の巨視的集合体およびかかる集合体の製造方法に関する。更により詳しくは、本発明は、触媒支持体、電極、クロマトグラフィーの媒体、等々に使用するためのかかる集合体、および、この集合体とその中に含有された第二の材料とを含んでいる複合構造物に関する。
【背景技術】
【０００２】
　カーボンフィブリルは直径５００nm未満の、虫食い状炭素堆積物(vermicular carbon deposit) である。それは多様な形態で存在し、そして金属表面での様々な含炭素気体の接触分解を介して製造されている。
【０００３】
　テナント(Tennent) の米国特許第４，６６３，２３０号には、連続したサーマルカーボンオーバーコート(continuous thermal carbon overcoat)を含まず、フィブリル軸に実質的に平行な多重のグラファイト外層を有する、カーボンフィブリルが記載されている。そのようなものとして、それは、グラファイトの湾曲層の接線に対して垂直であるそのｃ軸がフィブリルの円筒軸に対して実質的に垂直であるものとして特徴付けることができる。それは一般に直径が０．１μ以下であり、そして長さ／直径比が少なくとも５である。望ましいことに、それは連続したサーマルカーボンオーバーコート、すなわち、製造に使用した気体供給材料の熱分解から生じる熱分解堆積炭素(pyrolytically deposited carbon)、を実質的に含まない。
【０００４】
　微細繊維(microfiber)の軸に実質的に平行であるグラファイト層を有し、そして３．５〜７５nmの直径を有する管状(tubular) フィブリルは、１９８６年６月６日出願のテナント他の米国特許出願第８７１，６７６号（「新規カーボンフィブリル、その製造方法およびそれを含有する組成物」）、１９８６年６月６日出願のテナント他の米国特許出願第８７１，６７５号（「新規カーボンフィブリル、その製造方法およびカプセル化した触媒」）、１９８８年１月２８日出願の,スナイダー(Snyder)他の米国特許出願第１４９，５７３号（「カーボンフィブリル」）、１９８８年１２月１６日出願のマンダビル(Mandeville)他の米国特許出願第２８５，８１７号（「フィブリル」）、および１９８９年５月１５日出願のマッカーシイ(McCarthy)他の米国特許出願第３５１，９６７号（「カーボン微細繊維の表面処理」）に記載されており、それら特許出願はいずれも本願と同じ譲受人に譲渡され、それら出願の内容は本願明細書中に組み入れられる。
【０００５】
　フィブリルは様々な用途に有効である。たとえば、それらは繊維強化複合構造物またはハイブリッド複合構造物（すなわち、フィブリルの他に連続繊維のような補強材を含有している複合物）のための補強材として使用できる。複合物はさらに、カーボンブラックおよびシリカのようなフィラー(filler)を、単独でまたは互いに組合せて、含有してもよい。強化可能な母材(matrix)の材料の例は無機および有機のポリマー、セラミック（たとえば、鉛または銅）を包含する。母材が有機ポリマーである場合には、それは熱硬化樹脂、たとえば、エポキシ、ビスマレイミド、ポリアミドまたはポリエステル樹脂; 熱可塑性樹脂; または反応射出成形樹脂であってもよい。
【発明の開示】
【発明が解決しようとする課題】
【０００６】
　本発明の目的は、カーボンフィブリルからなる物の組成物を提供すること、より詳しくは、ランダムに配向されたカーボンフィブリルの集合体であって、低い嵩密度を有し、かつ様々な工業的および科学的目的のための基質または媒体として使用できる物を提供することである。
【０００７】
　本発明の別の目的は、新規な工業的性質を有する複合物を形成するように活性触媒や電気活性種などの性質を有する第二の機能性材料の一つまたはそれ以上を添加することができる、低い嵩密度を有する、多数のランダムに配向されたカーボンフィブリルの三次元の巨視的集合体からなる物の組成物を提供することである。
【０００８】
　さらに本発明の別の目的は、かかる組成物が多種多様な工業的目的のために信頼して且つ交換可能に使用できるように、等方性の物理的性質を有している、多数のランダムに配向されたカーボンフィブリルの三次元の巨視的集合体を提供することである。
【０００９】
　さらに、本発明の別の目的は、低密度組成物の製造に使用するのに有効かつ便利であるかかるカーボンフィブリル三次元巨視的集合体を製造する方法を提供することである。
【００１０】
　さらに、本発明の別の目的は、カーボンフィブリル三次元巨視的集合体を基材とした改良された触媒支持体、濾過媒体、クロマトグラフィーの媒体、ＥＭＩシールド、およびその他工業的価値を有する組成物を提供することである。
【課題を解決するための手段】
【００１１】
定義
　用語「集合体」は、個々のフィブリルの集りのあらゆる形態を意味し、絡み合ったフィブリルの態様ばかりでなく、ばらけたフィブリルの態様も包含する。
　用語「巨視的」は、集合体が工業的または科学的目的を達成するのに適するどのような大きさのものであってもよいことを意味する。
　用語「物理的性質」は、集合体の固有の測定可能な性質、たとえば、抵抗率、を意味する。
　用語「等方性」は、集合体の平面または体積の範囲内で物理的性質の全測定が測定方向に依存することなく一定の値を有することを意味する。かかる非中実組成物(non-solid composition) の測定はボイド空間(void space)の平均値を勘定に入れるように集合体の代表試料に対してなされているはずであることが理解される。
　用語「比較的」(relatively)は、それぞれの場合に応じて集合体の軸に沿って又は平面または体積の範囲内で測定されたときの物理的性質の値の９５％が平均値の±５０％以内にあることを意味する。
　用語「実質的に」は、それぞれの場合に応じて集合体の軸に沿って又は平面または体積の範囲内で測定されたときの物理的性質の値の９５％が平均値の±１０％以内にあることを意味する。
　用語「比較的等方性」および「実質的に等方性」は、物理的性質の値の上記のばらつきの範囲を意味する。
【００１２】
本発明
　本発明は一般的には、本質的に、多数のランダムに配向されたカーボンフィブリルの三次元の巨視的集合体からなる物の組成物にあり、前記フィブリルは実質的に一定の直径を有する実質的に円筒状であり、その円筒軸に対して実質的に垂直なｃ軸を有しており、実質的に熱分解堆積炭素を含まず、かつ約３．５〜７０nmの直径を有しており、前記集合体は０．００１〜０．５０ｇ／ccの嵩密度を有している。
【００１３】
　上記集合体は、多くの工業的目的のための三次元マトリックスとして非常に有利に使用できる。たとえば、この集合体は濾過媒体として、触媒支持体として、電気活性物質(たとえば、燃料電池やバッテリーの電極において使用するための)として、およびクロマトグラフィーの媒体として、使用できる。この集合体は、この集合体と、粒状固体、電気活性物質、または触媒活性の金属または含金属化合物のいずれかとを一緒に含んでいる複合物を形成するのに有用であること、ならびに、ポリマーとの複合物に有用であることがわかった。
【００１４】
　三次元集合体の中の一次元、好ましくは二次元、そして最も望ましくは三次元の軸に沿って比較的均一な物理的性質を有する、大いに有利な、ランダム配向カーボンフィブリル三次元巨視的集合体を製造できることが判明した。本発明の方法によって製造される好ましい組成物は少なくとも一次元軸に沿って均一な物理的性質を有し、そして集合体の少なくとも一平面において比較的等方性の物理的性質を有し、そして非常に望ましくは三次元構造全体にわたり等方性である。
【００１５】
　これら有利な組成物はフィブリルを水性または有機固体媒体の中に分散させ、それからフィブリルを濾過することによって製造できる。低密度組成物は、流体たとえばプロパンのような有機溶剤の中でカーボンフィブリルのゲルまたはペーストを形成し、それからそのゲルまたはペーストを媒体の臨界温度以上に加熱し、超臨界流体(supercritical fluid) を除去し、そして最後に、このプロセスを実施した容器から低密度多孔性マット(mat) またはプラグ(plug)を取り出すことによって、有利に製造される。
【発明を実施するための最良の形態】
【００１６】
　図１は実施例Ｉの方法によって製造されたランダムに配向されたカーボンフィブリルの三次元集合体の顕微鏡写真である。
【００１７】
カーボンフィブリルの製造
　反応器内で含炭素気体と金属触媒を、適切な圧力で、かつ上記構造形態のフィブリルの生成に十分な温度で、適切な時間、接触させることによってフィブリルが製造される。反応温度は一般的に４００〜８５０℃、より好ましくは６００〜７５０℃である。反応器を反応温度にもっていき、金属触媒粒子を加え、それから触媒に含炭素気体を連続的に接触させることによって、フィブリルが連続的に有利に製造される。
【００１８】
　適する供給気体、触媒および反応条件の例は、上記に引用した数件の米国出願に、さらに１９９２年５月２２日出願のモイ(Moy) 他の米国特許出願第８８７，３０７号および第８８７，３１４号（これらの内容は本願明細書中に組み入れられる）に、与えられている。
【００１９】
　フィブリルは、フィブリルの少なくとも一部分が凝集体(aggregate) の形態であるように製造されてもよい。ここに使用されるときの凝集体は二つまたはそれ以上の絡み合ったフィブリルとして定義される。フィブリル凝集体は走査電子顕微鏡検査法によって測定したときに代表的には巨視的形態を有しており、それらは互いにランダムに絡み合って鳥の巣(bird's net)（「ＢＮ」）に似た、フィブリルの絡み合った球(ball)を形成しているか; または、実質的に同じ相対的配向を有し、そしてコーマ糸(combed yarn)(「ＣＹ」）の外観を有する、僅かに曲がった又はねじれたカーボンフィブリルの束(bundle)からなる凝集体として、たとえば、それぞれの曲がり又はねじれにもかかわらず各フィブリルの長軸は束の中のそれを取り囲むフィブリルの長軸と同じ方向に延びているか; または、「オープンネット(open net)（「ＯＮ」）構造を形成するように互いにゆるく絡み合っている直線乃至僅かに曲がった又はねじれたフィブリルからなる凝集体としてある。オープンネット構造においては、フィブリルの絡み合いの程度はコーマ糸タイプの凝集体（この場合には個々のフィブリルは実質的に同じ相対的配向を有する）において観察されるものより大きく、しかし鳥の巣タイプのものよりも小さい。
【００２０】
　テナントの米国特許第４，６６３，２３０号に記載のフィブリルの他に、Ｊ．Ｗ．ゲス(Gues)の公開欧州特許出願第１９８，５５８号（公開日１９８６年１０月２２日）に記載の、いわゆるフィッシュボーン(fishbone)（「ＦＢ」）形態のような異なるマクロ形態を有するフィブリルも製造できる。いわゆるフィシュボーン形態のフィブリルはそのｃ軸（上記定義通り）がフィブリルの円筒軸に対して垂直より若干小さい角度であるものとして特徴付けられる。本発明はテナントの米国特許第４，６６３，２３０号に記載されているものばかりでなく、かかるフィッシュボーンのフィブリルに関するものでもある。
【００２１】
カーボンフィブリル
　カーボンフィブリルは好ましくは、ばらばらのフィブリルとフィブリル凝集体との組合せからなる。しかしながら、フィブリルは全てが凝集体の形態であってもよい。凝集体は、存在する場合には、一般に、鳥の巣、コーマ糸、またはオープンネットの形態を有する。凝集体の「絡み合い」が大きいほど、適切な組成物を達成するのに必要な処理が大きくなる。これはコーム糸またはオープンネットのタイプの凝集体を選択することが大多数の応用にとって非常に好ましいことを意味している。しかしながら、鳥の巣タイプの凝集体も一般に十分である。
【００２２】
集合体
　一般には、本発明は、多数のランダムに配向されたカーボンフィブリルの三次元の巨視的集合体から実質的になる物の組成物にあり、前記フィブリルは実質的に一定の直径を有する実質的に円筒状であり、その円筒軸に対して実質的に垂直なｃ軸を有し、実質的に熱分解堆積炭素を含まず、かつ約３．５〜７０nmの直径を有しており、前記集合体は０．００１〜０．５０ｇ／ccの嵩密度を有する。好ましくは、この集合体は少なくとも一次元軸に沿って比較的または実質的に均一な物理的性質を有し、そして望ましくは、集合体の一つまたはそれ以上の平面において比較的または実質的に均一な物理的性質を有する、すなわち、その平面において等方性の物理的性質を有する。別の態様においては、集合体全体がその物理的性質の一つまたはそれ以上に関して比較的または実質的に等方性である。
【００２３】
　容易に測定できる、そして均一性または等方性を決定する物理的性質は、抵抗率および光学的濃度を包含する。
【００２４】
集合体を含有する組成物
　一般に、このフィブリル集合体は、目的のためには多孔性媒体が有用であることが知られているそれら目的の全てに使用できる。これらは濾過、電極、触媒支持体、クロマトグラフィーの媒体、等々を包含する。加えて、この集合体はカーボンフィブリルの便利な嵩高の形態であるので、特に、ＥＭＩシールド、ポリマー複合物、活性電極、等々を包含する全ての既知の応用に使用できる。
【００２５】
　ＥＭＩシールド、濾過および集電装置のような或る種の応用のためには、このフィブリル集合体を未改質のまま使用できる。他の応用のためには、フィブリル集合体は複合材料の中の一成分、すなわち、複合物の一部である。かかる複合物の例はポリマー成形材料、クロマトグラフィーの媒体、燃料電池およびバッテリーの電極、フィブリルで支持された触媒、およびセラミック複合物であり、人工骨のような生体用セラミックも包含される。
【００２６】
　成形材料および人工骨のような、これら複合物の幾つかにおいては、非フィブリル成分がフィブリル集合体の多孔を充填している又は実質的に充填していることが望ましい。電極、触媒、およびクロマトグラフィーの媒体のような、別の場合には、その有用性はフィブリル集合体の多孔性を少なくとも或る程度保持している複合物に依存する。
【００２７】
フィブリル集合体の製造方法
　本発明の方法を使用して本発明の集合体を製造するには、どの形態のフィブリルも使用できるが、ＣＣ、ＤＤまたはＣＹのような平行タイプの形態を有するフィブリルを使用することが好ましい。これら形態を有するフィブリルの製造方法は、１９９２年５月２２日出願のモイ他の米国特許出願第８８７，３０７号および８８７，３１４号に記載されている。
【００２８】
　０．０２〜０．５０mmの厚さを有するマットは代表的には０．２０ｇ／ccの密度を有し、それは０．９０の気孔容積率に相当する。マット平面におけるその電気抵抗率は代表的には０．０２Ω／cmであり; マットに対して垂直方向の抵抗率は代表的には１．０Ω／cmである。
【００２９】
　マット形成に先立ってフィブリル分散物と固体成分を混合することによって、フィブリルマットの中に固体成分を組み入れることができる。乾燥マット中の別の固形分はフィブリル１部当り固形分５０部のように高くてもよい。
【００３０】
　合成反応器からのフィブリルは高剪断ミキサーたとえばウェアリングブレンダー(Waring Blender)で高剪断力で分散される。この分散物は一般には、水、エタノール、ミネラルスピリットなどの中に、０．０１〜１０％のフィブリルを含有する。この手法はフィブリルの束すなわちフィブリルの堅く巻かれた束を十分に開放し、そしてフィブリルを分散させて、濾過・乾燥後自己支持性のマットを生成する。高剪断混合の適用は数時間を要するであろう。この方法によって製造されるマットは凝集体を含まないものではない。
【００３１】
　高剪断手法の後に超音波処理を行うと、分散は改良される。０．１％またはそれ以下に希釈することは超音波処理を助ける。従って、２００ccの０．１％フィブリルをブロンソン・ソニファイアー・プローブ(Bronson Sonifier Probe)（供給出力４５０ワット）によって５分間またはそれ以上音波処理して分散をさらに改良してもよい。
【００３２】
　最高度の分散、すなわち、フィブリル凝集体を含まない又は目視上含まない分散を達成するには、混和性液体中での非常に低い濃度、たとえば、エタノール中の０．００１％〜０．０１％の濃度、またはもっと高い濃度、たとえば、界面活性剤たとえばトリトン(Triton)Ｘ‐１００を約０．５％の濃度で添加された水の中の０．１％の濃度、のどちらかで音波処理が行われなければならない。その後に形成されたマットは水の順次添加と減圧濾過とによって界面活性剤を含まない又は実質的に含まないように洗浄されてもよい。
【００３３】
　マット形成に先立ってフィブリル分散物に粒状固体たとえばＭn Ｏ2（バッテリー用に）やＡl2Ｏ3（高温ガスケット用に）が、フィブリル１部当り５０部以下で添加されてもよい。
【００３４】
　形成中のマットの上または中に、補強用ウエブおよびスクリム(scrim）が組み入れられてもよい。例はポリプロピレンメッシュやエキスパンデッド(expanded)ニッケルスクリーンである。
【００３５】
集合体の安定性を改良する方法
　フィブリル集合体の安定性を増加させるために、集合体の交点(intersection)にポリマーを付着させることが可能である。これは、集合体にポリマーセメントの希釈溶液を浸透させ、それから溶剤を蒸発させることであってもよい。毛管力はフィブリルの交点におけるポリマーを濃縮にする。集合体の剛さおよび一体性を実質的に改良するには、フィブリルの交点の小区画だけが結合される必要があることが理解される。
【実施例１】
【００３６】
多孔性フィブリルマットの製造
　多孔性のマットまたはシートを製造するためにフィブリルの希釈分散を使用した。ウェアリングブレンダーを使用して水中に０．５％のフィブリルを含有するフィブリル懸濁物をつくった。次いで０．１％に希釈した後に、フィブリルをさらにプローブ型ソニファイアーで分散させた。それから、この分散物を減圧濾過してマットにし、それを炉で乾燥した。
【００３７】
　マットは約０．２０mmの厚さを有しており、かつ、０．９０の気孔容積率に相当する約０．２０ｇ／ccの密度を有していた。マットの平面における電気抵抗率は約０．０２Ω／cmであり、マットに対して垂直方向の抵抗率は約１．０Ω／cmであった。
【実施例２】
【００３８】
多孔性フィブリルマットの製造
　ウェアリングブレンダーを使用してエタノール中に０．５％のフィブリルを含有するフィブリル懸濁物をつくった。次いで０．１％に希釈した後に、フィブリルをさらにプローブ型ソニファイアーで分散させた。それから、エタノールを蒸発させてマットを形成した。マットは実施例Ｉで製造されたマットと同じ物理的性質および特徴を有していた。
【実施例３】
【００３９】
低密度多孔性フィブリルプラグの製造
　低密度造形物を製造するために、十分に分散されたフィブリルペーストからの臨界値より上の流体の除去を使用した。ｎ‐ペンタン中の０．５％分散物の５０ccを、圧力をゆっくり開放できるニードル(needle)弁を装備したわずかに大きい容量の加圧容器に装填した。この容器をペンタンの臨界温度（Ｔc ＝１９６．６℃）より上に加熱した後に、ニードル弁を僅かに開いて臨界値より上のペンタンを１時間にわたって流出させた。得られたフィブリル固体プラグは容器の内部形状を有しており、０．００５ｇ／ccの密度を有し、それは０．９９７％の気孔容積率を相当した。抵抗率は等方性であり、約２０Ω／ccであった。
【実施例４】
【００４０】
ＥＭＩシールドの製造
　実施例Ｉの手順に従ってフィブリル紙を製造した。下記の表Ｉは数種類の紙厚で達成される減衰が示されている。
【００４１】
　　　　　　　　　　　　　　　　　（表Ｉ）
　　　　　　　　　　　　　　　フィブリル紙
　　　　　　　　　　　　　　　ＥＭＩシールド
　　　　　　　　　　３０ＭＨz 〜１ＧＨz における減衰量
　　　　厚さ、インチ（mm）　　　　　　坪量　　　　　　減衰量　
　　　　０．００２（０．５）　　　　　１２ｇ／ｍ2　　 ２７Ｄb
　　　　０．００５（０．１２５）　　　３０　　　　　　３７Ｄb
　　　　０．０１７（０．４２５）　　１２０　　　　　　３８Ｄb
【実施例５】
【００４２】
　実施例Ｉの方法によって製造したフィブリルマットを、ＰＣＴ米国出願８５／０２１５３（ＷＯ　８６／０２７３４）号および米国特許第５，１４７，８０６号、同第５，０６８，０８８号に記載のような電気化学発光セル
(electrochemiluminescence cell) における電極として使用した。電圧をルテニウムトリスビピリジニルの存在下で脈動させたときに、電気化学発光が観察された。
【図面の簡単な説明】
【００４３】
【図１】実施例Ｉの方法によって製造されたランダムに配向されたカーボンフィブリルの三次元集合体の顕微鏡写真である。
【図１】
2004137663.tif 000002